(57)【要約】【課題】スライダとガイド部との摩耗を防止し、安定した動作及び導通を確保することができる取出し機構付きカードコネクタの提供。【解決手段】カード１とともにハウジング３内をカード挿抜方向で移動する金属製のスライダ５と、スライダ５を押し出し方向に付勢する押し出しバネ６と、スライダ５を所望の押し込み位置で固定するロック手段７とを備え、スライダ５は、カード挿抜方向と平行であって、且つ、互いにコネクタ幅方向で反対に向く少なくとも一対の被ガイド面を備え、ハウジング３には、スライダ５の被ガイド面と摺接し、スライダ６をカード挿抜方向に案内するガイド面を有する樹脂製のガイド部８を備え、表面がガイド面に露出するようにガイド部に埋設され、各被ガイド面と摺接する金属製の摺接板８１，８２をガイド面毎に備えている。【選択図】図１
2016143578.tif 000002
【特許請求の範囲】
【請求項１】
カードが挿入されるカード挿入部を有するハウジングと、前記カード挿入部の内底面より突出する弾性接触片を有する複数のコンタクトと、前記カードとともに前記ハウジング内をカード挿抜方向で移動する金属製のスライダと、該スライダを押し出し方向に付勢する押し出しバネと、前記スライダを所望の押し込み位置で固定するロック手段とを備え、
前記スライダは、カード挿抜方向と平行であって、且つ、互いにコネクタ幅方向で反対に向く少なくとも一対の被ガイド面を備え、
前記ハウジングには、前記スライダの被ガイド面と摺接し、前記スライダをカード挿抜方向に案内するガイド面を有する樹脂製のガイド部を備えている取出し機構付きカードコネクタにおいて、
表面が前記ガイド面に露出するように前記ガイド部に埋設され、前記各被ガイド面と摺接する金属製の摺接板を前記ガイド面毎に備えていることを特徴とする取出し機構付きカードコネクタ。
【請求項２】
前記スライダは、互いに間隔を置いて対向する一対の側板部を有する被ガイド部を備え、前記側板部の対向する各内側面がそれぞれ前記被ガイド面を形成し、
前記ガイド部は、前記ハウジングの内底面より突出したカード挿抜方向に延設された突条状に形成され、その両側面がそれぞれ前記被ガイド面と摺接するガイド面を形成し、前記ガイド部の両側面にそれぞれ前記摺接板がその表面がガイド面に露出するように埋設されている請求項１に記載の取出し機構付きカードコネクタ。
【請求項３】
前記両摺接板は、金属製板材をプレス加工することにより、金属製板材の表面より互いに平行に立ち上がり、且つ、その立ち上がり方向高さに比して両摺接板間距離が狭い配置で前記金属製板材に支持されるように成形され、
該金属製板材に支持された状態でインサート成形により前記ガイド部に埋設されるようにした請求項２に記載の取出し機構付きカードコネクタ。
【請求項４】
前記両摺接板は、前記複数のコンタクトが支持された金属製板材に一体に支持されるようにした請求項３に記載の取出し機構付きカードコネクタ。
【請求項５】
前記ロック手段は、前記ハウジングに配置されたハート形状のハートカム及び該ハートカムの周りに形成されたループ状のピンガイド溝からなるハートカム部と、一端が前記スライダに回動可能に支持され、他端に前記ピンガイド溝に摺動可能に挿入される係合ピン部が形成されたロックピンとを備え、
初めのカード押し込み動作により前記係合ピン部が前記ハートカムに係合する位置に移動し、前記スライダのカード押し出し方向の移動が規制され、再度のカード押し込み動作により前記係合ピン部が前記ハートカムより離脱して前記スライダの規制が解除されるようにしている請求項１〜４の何れか１に記載の取出し機構付きカードコネクタ。
【発明の詳細な説明】
【技術分野】
【０００１】
本発明は、携帯電話機やスマートフォン等の電子機器にＩＣカードやフラッシュメモリーカード等のカードを接続するためのカードコネクタであって、スライダ式の取出し機構を備える取出し機構付きカードコネクタに関する。
【背景技術】
【０００２】
従来、この種のカードコネクタには、ハウジングの側部にカードと共に移動するスライダと、スライダを押し出し方向に付勢する押し出しバネと、ハートカム機構等のスライダを所定の位置でロックするロック手段とを備えた取出し機構付きカードコネクタが広く知られている。
【０００３】
この取出し機構付きカードコネクタは、スライダにカードの前縁側が当接するカード係合部を備え、ハウジングにカードを挿し込むとカードの前縁側がカード係合部に当接し、その状態から押し出しバネに抗してスライダを押し込むことにより、スライダが所定の押し込み位置まで移動し、その位置でスライダがロック手段によってロックされるようになっている。
【０００４】
そして、カードを取り出す際には、ロック手段を解除すると押出しバネに押されてスライダが押し出し方向に移動し、それに伴いカードの前縁側に当接したカード係合部がカードを押し出すようになっている。
【０００５】
このカードの挿抜に際し、スライダ１００には、図１０に示すように、コネクタ幅方向の一方側にカード係合部１０１を介してカード１０２からカード挿入方向の反力１０３が作用し、他方側には押し出しバネ１０４による押し出し方向の付勢力１０５が作用するため、スライダ１００には、その重心軸ｇ周りに水平方向で回転モーメントが生じる。
【０００６】
そこで従来では、ハウジングの内底面にカード挿抜方向と平行に延設された樹脂製のガイド部１０６を設け、このガイド部１０６の側面にスライダ１００のカード挿抜方向と平行な被ガイド面１０７，１０７を摺接させることによりスライダ１００をカード挿抜方向で案内させ、スライダ１００の水平回転を防止し、カード挿抜方向で好適に移動できるようにしている（例えば、特許文献１を参照）。
【０００７】
また、この種のカードコネクタのスライダには、生産コストの低減や部材強度の確保等の観点から、金属製板材をプレス加工することにより立体的に成型された金属製のスライダも使用されている。
【先行技術文献】
【特許文献】
【０００８】
【特許文献１】特開２０１３−０９３２３３号公報
【発明の概要】
【発明が解決しようとする課題】
【０００９】
しかしながら、上述の如き従来の技術では、スライダに回転モーメントが作用し、スライダの被ガイド面がガイド部に常に接触した状態で摺動するため、被ガイド面と樹脂製のガイド部との間に生じる摩擦によって、スライダの被ガイド面又はガイド部のガイド面が摩耗し、スライダの動作不良の原因になる虞があった。
【００１０】
また、カードが傾いた状態で挿入された場合等では、スライダを介してガイド部に予期しない回転モーメントや力が作用してガイド部が破損する虞もあった。
【００１１】
更には、スライダとガイド部とが摺動することで、樹脂製のスライダやガイド部が摩耗して摩耗屑が生じ、その摩耗屑が各コンタクトの接点部分に付着すると、カードとの導通が妨げられ、接触不良の原因になる虞があった。
【００１２】
本発明は、このような従来の問題に鑑み、スライダとガイド部との摩耗を防止し、安定した動作及び導通を確保することができる取出し機構付きカードコネクタの提供を目的としてなされたものである。
【課題を解決するための手段】
【００１３】
上述の如き従来の問題を解決し、所期の目的を達成するための請求項1に記載の発明の特徴は、カードが挿入されるカード挿入部を有するハウジングと、前記カード挿入部の内底面より突出する弾性接触片を有する複数のコンタクトと、前記カードとともに前記ハウジング内をカード挿抜方向で移動する金属製のスライダと、該スライダを押し出し方向に付勢する押し出しバネと、前記スライダを所望の押し込み位置で固定するロック手段とを備え、前記スライダは、カード挿抜方向と平行であって、且つ、互いにコネクタ幅方向で反対に向く少なくとも一対の被ガイド面を備え、前記ハウジングには、前記スライダの被ガイド面と摺接し、前記スライダをカード挿抜方向に案内するガイド面を有する樹脂製のガイド部を備えている取出し機構付きカードコネクタにおいて、表面が前記ガイド面に露出するように前記ガイド部に埋設され、前記各被ガイド面と摺接する金属製の摺接板を前記ガイド面毎に備えている取出し機構付きカードコネクタにある。
【００１４】
請求項２に記載の発明の特徴は、請求項１の構成に加え、前記スライダは、互いに間隔を置いて対向する一対の側板部を有する被ガイド部を備え、前記側板部の対向する各内側面がそれぞれ前記被ガイド面を形成し、前記ガイド部は、前記ハウジングの内底面より突出したカード挿抜方向に延設された突条状に形成され、その両側面がそれぞれ前記被ガイド面と摺接するガイド面を形成し、前記ガイド部の両側面にそれぞれ前記摺接板がその表面がガイド面に露出するように埋設されていることにある。
【００１５】
請求項３に記載の発明の特徴は、請求項２の構成に加え、前記両摺接板は、金属製板材をプレス加工することにより、金属製板材の表面より互いに平行に立ち上がり、且つ、その立ち上がり方向高さに比して両摺接板間距離が狭い配置で前記金属製板材に支持されるように成形され、該金属製板材に支持された状態でインサート成形により前記ガイド部に埋設されるようにしたことにある。
【００１６】
請求項４に記載の発明の特徴は、請求項３の構成に加え、前記両摺接板は、前記複数のコンタクトが支持された金属製板材に一体に支持されるようにしたことにある。
【００１７】
請求項５に記載の発明の特徴は、請求項１〜４の何れか１の構成に加え、前記ロック手段は、前記ハウジングに配置されたハート形状のハートカム及び該ハートカムの周りに形成されたループ状のピンガイド溝からなるハートカム部と、一端が前記スライダに回動可能に支持され、他端に前記ピンガイド溝に摺動可能に挿入される係合ピン部が形成されたロックピンとを備え、初めのカード押し込み動作により前記係合ピン部が前記ハートカムに係合する位置に移動し、前記スライダのカード押し出し方向の移動が規制され、再度のカード押し込み動作により前記係合ピン部が前記ハートカムより離脱して前記スライダの規制が解除されるようにしていることにある。
【発明の効果】
【００１８】
本発明に係る取出し機構付きカードコネクタは、上述したように、カードが挿入されるカード挿入部を有するハウジングと、前記カード挿入部の内底面より突出する弾性接触片を有する複数のコンタクトと、前記カードとともに前記ハウジング内をカード挿抜方向で移動する金属製のスライダと、該スライダを押し出し方向に付勢する押し出しバネと、前記スライダを所望の押し込み位置で固定するロック手段とを備え、前記スライダは、カード挿抜方向と平行であって、且つ、互いにコネクタ幅方向で反対に向く少なくとも一対の被ガイド面を備え、前記ハウジングには、前記スライダの被ガイド面と摺接し、前記スライダをカード挿抜方向に案内するガイド面を有する樹脂製のガイド部を備えている取出し機構付きカードコネクタにおいて、表面が前記ガイド面に露出するように前記ガイド部に埋設され、前記各被ガイド面と摺接する金属製の摺接板を前記ガイド面毎に備えていることにより、スライダが移動する際、金属製のスライダの被ガイド面が常に金属製の摺接板と摺接した状態でガイド部に案内されるので、スライダ及びガイド部が摩耗し難く、安定した動作と高い耐久性を得ることができ、更に、摩耗による摩耗屑の発生を防止し、摩耗屑がコンタクトに付着することによる導通不良を回避することができる。
【００１９】
また、ガイド部に金属製の摺接板を埋設したことにより、ガイド部の強度が増し、カードが斜めに挿入された場合等のように、ガイド部に予期せぬ力やモーメントが作用した際のガイド部の破損を防止することができる。
【００２０】
更に、本発明において、前記スライダは、互いに間隔を置いて対向する一対の側板部を有する被ガイド部を備え、前記側板部の対向する各内側面がそれぞれ前記被ガイド面を形成し、前記ガイド部は、前記ハウジングの内底面より突出したカード挿抜方向に延設された突条状に形成され、その両側面がそれぞれ前記被ガイド面と摺接するガイド面を形成し、前記ガイド部の両側面にそれぞれ前記摺接板がその表面がガイド面に露出するように埋設されていることにより、ガイド部にスライダを好適に案内させることができる。
【００２１】
更にまた、本発明において、前記両摺接板は、金属製板材をプレス加工することにより、金属製板材の表面より互いに平行に立ち上がり、且つ、その立ち上がり方向高さに比して両摺接板間距離が狭い配置で前記金属製板材に支持されるように成形され、該金属製板材に支持された状態でインサート成形により前記ガイド部に埋設されるようにしたことにより、小型のカードコネクタであっても、ガイド部の両側面に摺接板を組み込むことができ、また、前記両摺接板は、前記複数のコンタクトが支持された金属製板材に一体に支持されるようにしたことにより、生産コストの低減を図ることができる。
【００２２】
更にまた、前記ロック手段は、前記ハウジングに配置されたハート形状のハートカム及び該ハートカムの周りに形成されたループ状のピンガイド溝からなるハートカム部と、一端が前記スライダに回動可能に支持され、他端に前記ピンガイド溝に摺動可能に挿入される係合ピン部が形成されたロックピンとを備え、初めのカード押し込み動作により前記係合ピン部が前記ハートカムに係合する位置に移動し、前記スライダのカード押し出し方向の移動が規制され、再度のカード押し込み動作により前記係合ピン部が前記ハートカムより離脱して前記スライダの規制が解除されるようにしていることにより、カードの挿抜動作においてスライダに掛かる負担が大きいプッシュ・プッシュ方式において、スライダ及びガイド部の摩耗が防止される。
【図面の簡単な説明】
【００２３】
【図１】本発明に係る取出し機構付きカードコネクタであって、上面側のシールド部材を除いた状態を示す斜視図である。
【図２】同上のカードを挿入した上の平面図である。
【図３】図１中のハウジング本体を示す斜視図である。
【図４】図３中の金属製部品の配置を示す斜視図である。
【図５】同上の金属製部品のプレス加工後の金属製板材に支持された状態を示す平面図である。
【図６】図５中の摺接板部分を示す図であって、（ａ）はプレス加工前の展開図、（ｂ）は同プレス完了後の平面図である。
【図７】（ａ）（ｂ）は図1中のスライダを示す拡大斜視図である。
【図８】ガイド部部分を示す拡大断面図である。
【図９】図1中のハートカム部を示す拡大平面図である。
【図１０】従来の取出し機構付きカードコネクタの動作を説明するための簡略部分拡大図である。
【発明を実施するための形態】
【００２４】
次に、本発明に係る取出し機構付きカードコネクタの実施態様を図１〜図９に示した実施例に基づいて説明する。尚、図中符号１はマイクロＳＤカード等のカード、符号２は取出し機構付きカードコネクタである。
【００２５】
この取出し機構付きカードコネクタ２（以下、カードコネクタ２という）は、カード１が挿入されるカード挿入部３１を有するハウジング３と、カード挿入部３１の内底面より突出する弾性接触片を有する複数のコンタクト４１，４１...とを備え、カード挿入部３１に挿入されたカード１の片面側に露出した信号伝達パッド（図示せず）が対応する各コンタクト４１，４１...と接触することにより、カードコネクタ２を介してカード１と実装基板等とを電気的に接続するようになっている。
【００２６】
また、このカードコネクタ２は、カード１とともにカード挿抜方向に移動可能な金属製のスライダ５と、スライダ５を押し出し方向に付勢する押し出しバネ６と、スライダ５を所望の押し込み位置で固定するハートカム機構等からなるロック手段７とを備え、カード１の押し込みに伴ってスライダ５も押し込まれてロック手段７に固定され、ロック手段７を解除した際、押し出しバネ６に付勢されたスライダ５に押されてカード１が取出されるようになっている。
【００２７】
ハウジング３は、絶縁性合成樹脂からなるハウジング本体３２と、その外側を覆う導電性金属板材からなるシールドカバー３３とを組み合わせることにより、そのカード挿入方向手前側端が開口した扁平な中空箱状に形成されている。
【００２８】
尚、図１、図２は、本実施例説明の便宜上、シールドカバー３３の上面側の一部を取り外した状態で示している。
【００２９】
ハウジング本体３２は、図３に示すように、上面側に窪みを有する平板状に形成され、当該窪み部がカード挿入部３１を成し、そのカード挿入部３１と並んで側部にスライダ５、押し出しバネ６及びロック手段７等が配置されている。
【００３０】
また、このハウジング本体３２には、カード挿入部３１の一方の側部にカード挿抜方向に平行な樹脂製のガイド部８が底板部３２１と一体に形成され、このガイド部８がスライダ５をカード挿抜方向に案内するようになっている。
【００３１】
即ち、このガイド部８のカード挿抜方向と平行な両側面は、それぞれガイド面を成し、カード挿抜方向と平行であって、且つ、互いにコネクタ幅方向で反対に向くスライダ５の一対の被ガイド面５１，５１と互いに摺接することでスライダ５の水平回転を規制しつつ、カード挿抜方向に案内するようになっている。
【００３２】
ガイド部８は、樹脂成形によってハウジング３の内底面、即ち、ハウジング本体３２の底板部３２１上面より突出したカード挿抜方向に延設された突条状に形成され、その両側面がそれぞれスライダ５の被ガイド面５１，５１と摺接するガイド面を形成している。
【００３３】
このガイド部８には、それぞれ表面がガイド面に露出するように金属製の摺接板８１，８２をガイド面毎、即ち、突条状のガイド部８の両側面に備え、この両摺接板８１，８２がスライダ５の各被ガイド面５１，５１と摺接するようになっている。
【００３４】
各摺接板８１，８２は、カード挿抜方向に長い細長矩形状であって、互いに平行に立ち上がり、且つ、その立ち上がり方向高さに比して両摺接板８１，８２間距離が狭い配置に形成されている。
【００３５】
この両摺接板８１，８２は、図４に示すように配置され、コンタクト４１，４１...、ロック手段補強金具４２とともにインサート成形によりハウジング本体３２に組み込まれ、それぞれ表面がガイド面に露出するようにガイド部８に埋設される。
【００３６】
摺接板８１，８２、コンタクト４１，４１...及びロック手段補強金具４２は、図５に示すように、導電性の金属製板材９をプレス加工することによりそれぞれが金属製板材９に一体に支持された状態に形成され、この金属製板材９に支持された状態でインサート成形用の成形型に組み込まれ、成形型に組み込まれた後、又は、インサート成形後に、導電性金属製板材９から分離されるようになっている。
【００３７】
尚、両摺接板８１，８２のプレス加工については、図６（ａ）に示す展開図の如く金属製板材９を打ち抜き、それを折り曲げることにより図６（ｂ）示すように金属製板材９の表面より互いに平行に立ち上がり、且つ、その立ち上がり方向高さに比して両摺接板８１，８２間距離が狭い配置に一枚の金属製板材９から成形されるようになっている。
【００３８】
即ち、展開した状態においては、プレス加工後に外側に配置される摺接板８１が内側に配置され、プレス加工後に内側（カード挿入部３１側）に配置される摺接板８２が外側に配置された状態にあって、それを曲げ加工することにより、一方の摺接板８１が金属製板材９の外枠に支持部９１を介して支持され、他方の摺接板８２がロック手段補強金具４２及び支持部９２を介して金属製板材９に支持された状態となり、金属製板材９の表面より互いに平行に立ち上がり、且つ、その立ち上がり方向高さに比して両摺接板８１，８２間距離が狭い配置にしている。
【００３９】
ロック手段補強金具４２は、平板状の底板部４２１と、底板部４２１の一方の側縁より鉛直上向きに立ち上げた形状の側壁部４２２とを備えるとともに、底板部４２１の奥側端縁に後述するハートカム７１の係合凹部７１１の内側に配置されて係合ピン部７２１が当接される金属製の補強当接部４２３を一体に備え、ロック手段補強金具４２がハウジング本体３２に組み込まれることにより補強当接部４２３がハートカム７１に組み込まれるようになっている。
【００４０】
スライダ５は、図７に示すように、金属製板材をプレス加工することにより立体的に成形され、ガイド部８に案内される被ガイド部５２と、被ガイド部５２を介してカード挿入部３１側に配置されたカード係合部５３と、被ガイド部５２を介してカード係合部５３と反対側に配置されたバネ受け部５４とを備えている。
【００４１】
被ガイド部５２は、スライダ５の上面を構成する天板５５の側縁より下向きに折り曲げた配置にあって、コネクタ幅方向で互いに間隔を置いて対向する一対の側板部５２１，５２２を備え、図８に示すように、側板部５２１，５２２の対向する各内側面がそれぞれ被ガイド面５１，５１を成し、被ガイド部５２がガイド部８にカード挿抜方向に移動可能に嵌合され、各被ガイド面５１，５１がガイド部８のガイド面、即ち、摺接板８１，８２と摺接するようになっている。
【００４２】
バネ受け部５４は、一方の側板５２１の手前側端縁より鉛直外向きに曲げた形状に形成され、その表面に押し出しバネ６の一端が当接するようになっている。
【００４３】
カード係合部５３は、一方の側体部５２２の前縁より斜め内側に向けて延出し、カード挿抜方向手前側に面するカード当接面５３１を備え、この当接面５３１にカード１の一方の側部に張り出した係合凸部１１の前縁側が当接し、カード１をカード挿入部３１に押し込む際、この係合凸部１１に押されてスライダ５がともにカード挿抜方向に移動し、カード１の取出し時には、押し出しバネ６による押し出し方向の付勢力がスライダ５を介して係合凸部１１に作用し、スライダ５の移動とともにカード１を押し出すようになっている。
【００４４】
尚、カード係合部５３とバネ受け部５４とは、被ガイド部５２を介してコネクタ幅方向の両側に配置されるとともに、カード挿抜方向で距離を隔てた配置となっている。
【００４５】
また、スライダ５には、天板５５の奥側縁部に支持されたピン支持部５６を備え、このピン支持部５６に後述するロックピン７２の一端が水平方向に回動自在に支持されている。
【００４６】
押し出しバネ６は、コイルスプリング状に形成され、ハウジング３の側部に形成されたバネ用溝６１内に収縮可能に撓んだ状態で収容され、且つ、その一端がハウジング３に支持され、他端がスライダ５のバネ受け部５４に当接し、スライダ５に常に押し出し方向の付勢力を付与するようになっている。
【００４７】
ロック機構には、ハウジング３に配置されたハート形状のハートカム７１及びハートカム７１の周りに形成されたループ状のピンガイド溝７３からなるハートカム部と、一端がスライダ５に回動可能に支持され、他端にピンガイド溝７３に摺動可能に挿入される係合ピン部７２１が形成されたロックピン７２とを備え、初めのカード１挿入動作時に所定の押し込み位置で停止させ、再度の押し込み動作により停止状態が解除されてカード１が押し出されるようにした所謂プッシュイン・プッシュアウト方式を採用している。
【００４８】
ハートカム７１は、ハウジング本体３２側部の奥側に平面視ハート状に形成され、カード挿抜方向の一端、即ち、カード１挿入方向奥側端部にＶ字状又はＵ字状の係合凹部７１１を備え、その内側に係合ピン部７２１が係合するようになっている。
【００４９】
ロックピン７２は、金属棒材をもって形成され、一端に下向きに折り曲げた形状の回動軸部７２２を備え、他端に下向きに折り曲げた形状の係合ピン部７２１を備え、回動軸部７２２がスライダ５のピン支持部５６に回動可能に支持され、係合ピン部７２１がハウジング本体３２に形成されたピンガイド溝７３内に挿入されている。
【００５０】
ピンガイド溝７３は、図９に示すように、ハウジング本体３２の表面にハートカム７１に沿ったループ状に形成され、ハートカム７１の両側部に配置された往路部７３１及び復路部７３２と、ハートカム７１の係合凹部７１１側に配置されたロック部７３３とにより構成されている。尚、図中符号７３４は、往路部７３１と復路部７３２とが合流する往復共通部である。
【００５１】
このピンガイド溝７３にロックピン７２先端の係合ピン部７２１が挿入されて、往路部７３１、ロック部７３３及び復路部７３２に沿って順次循環するようになっており、係合ピン部７２１が循環中逆戻りしないように、往路部７３１、ロック部７３３及び復路部７３２の底部は、移動方向の終端側が高くなるように傾斜して形成され、各部の繋ぎ目部分に移動方向規制用の段部７３ａ〜７３ｄが形成されている。
【００５２】
ロックピン７２の係合ピン部７２１は、カード１未挿入状態において、原点停止位置ａにあり、カード１押し込み動作に連動してスライダ５が移動すると、往路部７３１を移動し、押し込み操作力を解除すると押し出しバネ６により原点停止位置ａ側に戻るようになっている。
【００５３】
一方、初めのカード１押し込み動作によって、係合ピン部７２１が往路部７３１の末端位置ｂまで到達すると、段部７３ａによって往路部７３１側への移動が規制され、その位置で押し込み操作力を解除することによりハートカム７１の係合凹部７１１内の位置ｃに移動する。
【００５４】
そして、係合凹部７１１内に係合ピン部７２１が移動することにより、係合ピン部７２１がハートカム７１と係合し、ロックピン７２を介してスライダ５とハートカム７１とが互いに係合し、スライダ５の移動が規制され、スライダ５をロック状態とする。
【００５５】
一方、係止解除のために再度のカード押し込み動作、即ちプッシュアウト動作すると、段部７３ｂによって往路部７３１側への移動が規制されるので、係合ピン部７２１は、復路部７３２の末端停止位置ｄに移動し、その位置ｄで押し込み操作力を解除することにより、段部７３ｃによって係合凹部７１１側への移動が規制され、スライダ５が押し出しバネ６に押圧されて移動し、係合ピン部７２１が復路部７３２及び往路復路共通部７３４を通って原点位置ａに復帰する。
【００５６】
このように構成されたカードコネクタ２においては、カード１をカード挿入部３１に押し込むと、その押し込み力をコネクタ幅方向一方側のカード係合部５３で受けてカード１とともに押し込まれ、それに伴い押し出しバネ６による付勢力を他方側のバネ受け部５４に受けるので、スライダ５には、水平方向の曲げモーメントが作用する。
【００５７】
また、カード１を取出す際には、押し出しバネ６による付勢力を他方側のバネ受け部５４で受けてスライダ５を介してカード１を押し出し、それに伴いカード１からの反力をコネクタ幅方向一方側のカード係合部５３にて受けるので、スライダ５には、水平方向の曲げモーメントが作用する。
【００５８】
一方、このカードコネクタ２においては、スライダ５の移動軌道に合わせてカード挿抜方向に向けたガイド部８を備え、スライダ５のカード挿抜方向と平行であって、且つ、互いにコネクタ幅方向で反対に向く少なくとも一対の被ガイド面５１，５１をガイド部８のガイド面と摺接させることにより、スライダ５の水平回転を規制し、スライダ５をカード挿抜方向に案内するようになっている。
【００５９】
その際、スライダ５の金属からなる各被ガイド面５１，５１は、表面がガイド面に露出するようにガイド部８に埋設された摺接板８１，８２と常に摺接する状態にあるので、金属材同士なのでスライダ５及びガイド部８がともに摩耗し難く、安定した動作と高い耐久性を確保することができる。
【００６０】
また、摩耗による摩耗屑の発生が防止されるので、摩耗屑がコンタクト４１，４１...に付着することによる接触不良を防止することができる。
【００６１】
尚、上述の実施例においては、突条状のガイド部８の両側面をガイド面とし、その外側にスライダ５をはめ込み、互いに対向する一対の側板部５２１，５２２の内側面を被ガイド面５１，５１とした例について説明したが、互いにコネクタ幅方向に間隔を置いて対向したカード挿抜方向に延長された一対のガイド部８間にスライダ５をはめ込み、スライダ５の両側面をそれぞれ被ガイド面５１，５１としたものであってもよく、その場合各ガイド部８の対向面をガイド面とし、該ガイド面にその表面が露出するように摺接金属を備える。
【００６２】
また、上述の実施例では、ロック手段にハートカム機構を利用したプッシュイン・プッシュアウト方式を採用した例について説明したが、ロック手段の態様は、これに限定されず、例えば、ハウジングに所望の押し込み位置においてスライダと係合する係合片と、その係合片をスライダから離脱させるためのピンとを備えたピンイジェクト式等であってもよい。
【００６３】
上述の実施例では、マイクロＳＤカード等のカード１を直接カード挿入部３１に挿入するようにした例について説明したが、カード１の態様は上述の実施例に限定されず、各仕様のカード１に適用することができ、また、カード１には、カード１そのものの他、カードトレイ、カードアダプタ等を含み、これらにも適用することができる。
【符号の説明】
【００６４】
１  カード
２  取出し機構付きカードコネクタ
３  ハウジング
３１  カード挿入部
３２  ハウジング本体
３２１  底板部
３３  シールドカバー
４１  コンタクト
４２  ロック手段補強金具
５  スライダ
５１  被ガイド面
５２  被ガイド部
５２１，５２２  側板
５３  カード係合部
５３１  当接面
５４  バネ受け部
５５  天板
５６  ピン支持部
６  押し出しバネ
６１  バネ収容溝
７  ロック手段
７１  ハートカム
７２  ロックピン
７２１  係合ピン部
７２２  回動軸部
７３  ピンガイド溝
７３１  往路部
７３２  復路部
７３３  ロック部
７３４  往復共通部
７３ａ〜７３ｄ  段部
８  ガイド部
８１，８２  摺接板
９  金属製板材
【図１】
2016143578.tif 000003
【図２】
2016143578.tif 000004
【図３】
2016143578.tif 000005
【図４】
2016143578.tif 000006
【図５】
2016143578.tif 000007
【図６】
2016143578.tif 000008
【図７】
2016143578.tif 000009
【図８】
2016143578.tif 000010
【図９】
2016143578.tif 000011
【図１０】
2016143578.tif 000012